(57)【要約】【課題】例えば、ＦＡ周波数が１０ＭＨｚ−２ＦＡ或いは２０ＭＨｚである時において、サンプリングファクタが２８／２５であるＯＦＤＭＡシンボルに対応したＯＢＳＡＩをインターフェース規格として採用することができるＷｉＭＡＸ用の無線装置を提供する。【解決手段】ＷｉＭＡＸ用の無線装置２において、当該無線装置は、無線制御部１と２本以上の高速シリアル伝送で接続され、インターフェース規格にＯＢＳＡＩを採用し、ＯＦＤＭＡシンボルを送受する機能を有しており、サンプリングファクタが２８／２５であるＯＦＤＭＡシンボルに対応したＯＢＳＡＩを使用する。【選択図】  図１
2009278571.tif 000002
【特許請求の範囲】
【請求項１】
ＷｉＭＡＸ用の無線装置において、
当該無線装置は、無線制御部と２本以上の高速シリアル伝送で接続され、インターフェース規格にＯＢＳＡＩを採用し、ＯＦＤＭＡシンボルを送受する機能を有しており、
サンプリングファクタが２８／２５であるＯＦＤＭＡシンボルに対応したＯＢＳＡＩを使用する、
ことを特徴とする無線装置。
【発明の詳細な説明】
【技術分野】
【０００１】
本発明は、例えば、ＷｉＭＡＸ用の無線装置に関し、特に、ＦＡ周波数が１０ＭＨｚ−２ＦＡ或いは２０ＭＨｚである時において、サンプリングファクタが２８／２５であるＯＦＤＭＡシンボルに対応したＯＢＳＡＩをインターフェース規格として採用することが可能な無線装置に関する。
【背景技術】
【０００２】
まず、基地局装置（ＢＴＳ：Ｂａｓｅ  Ｔｒａｎｓｃｅｉｖｅｒ  Ｓｔａｔｉｏｎ）と送信増幅器との接続について説明する。
例えば、デジタル移動体通信では、エリア全域をカバーするために、高出力の送信増幅器が用いられる。高出力の送信増幅器では、送信増幅器が基地局装置と同一の架に設置されることが主流であった。
【０００３】
しかしながら、送信増幅器がアンテナに接続される場合には、同軸ケーブルによって接続されるが、装置の保守上から、送信増幅器とアンテナとの間は５０ｍ〜２００ｍも離されることがあり、その間での劣化が問題となっていた。
また、別の問題として、電力増幅器（ＰＡ：Ｐｏｗｅｒ  Ａｍｐｌｉｆｉｅｒ）は基地局装置の一部として取り扱われることが常識であり、このため、基地局装置が各地へ分散して、保守上や運用コスト上で問題があった。
【０００４】
これらの問題を解決するために、ＲＯＦ（Ｒａｄｉｏ  Ｏｎ  Ｆｉｂｅｒ）やＲＲＨ（Ｒｅｍｏｔｅ  Ｒａｄｉｏ  Ｈｅａｄ）といった概念が生み出されており、今後の主流になりつつある。この技術では、アンテナに近い無線部を基地局装置から切り離して、両者を光ファイバで接続することで、上記した問題を解決することが図られる。
このような光ファイバを用いた技術は、例えば、既存の設備を利用する場合には低価格で使用することが可能であり、運用コストの低減が可能であることや、また、各地へ分散するものは、大規模な基地局装置ではなく、比較的軽微な無線部分だけであるということから、保守上も好ましい形態となっている。
【０００５】
また、光ファイバでは、伝送ロスをなくすためにも、デジタルで高速シリアル伝送を行うことが優位である。ＣＰＲＩ（Ｃｏｍｍｏｎ  Ｐｕｂｌｉｃ  Ｒａｄｉｏ  Ｉｎｔｅｒｆａｃｅ）やＯＢＳＡＩ（Ｏｐｅｎ  Ｂａｓｅ  Ｓｔａｔｉｏｎ  Ａｒｃｈｉｔｅｃｔｕｒｅ  Ｉｎｉｔｉａｔｉｖｅ）のように、標準規格も制定されている。
【０００６】
また、無線制御部（ＲＥＣ：Ｒａｄｉｏ  Ｅｑｕｉｐｍｅｎｔ  Ｃｏｎｔｒｏｌ）と無線部（ＲＥ：Ｒａｄｉｏ  Ｅｑｕｉｐｍｅｎｔ）との接続の仕方についても幾つかの方法がある。以下では、ＲＥＣの一例であるＢＴＳ及びＲＥの一例であるＴＲＸ−ＡＭＰ（送受信の増幅器）について説明する。
例えば、ＯＢＳＡＩを使用したＢＴＳとＴＲＸ−ＡＭＰとの接続の仕方としては、１台のＢＴＳに対して複数個のＴＲＸ−ＡＭＰを接続する場合や、１台のＴＲＸ−ＡＭＰに対して２台のＢＴＳを接続する場合などがあり、更に、１台のＢＴＳに対して１台のＴＲＸ−ＡＭＰを接続して、ＴＲＸ−ＡＭＰとＴＲＸ−ＡＭＰとの間を接続するカスケード接続と言われるものまである。
【０００７】
図４（ａ）〜（ｃ）には、ＢＴＳとＴＲＸ−ＡＭＰとの接続の例を示してある。
具体的には、図４（ａ）には、１台のＢＴＳ１０１に２台のＴＲＸ−ＡＭＰ１０２、１０３のそれぞれを接続した構成例を示してある。
図４（ｂ）には、２台のＢＴＳ１１１、１１２のそれぞれに１台のＴＲＸ−ＡＭＰ１１３を接続した構成例を示してある。
図４（ｃ）には、１台のＢＴＳ１２１に２台のＴＲＸ−ＡＭＰ１２２、１２３をカスケード接続した構成例を示してある。
【０００８】
次に、スイッチオーバー（Ｓｗｉｔｃｈｏｖｅｒ）の定義と冗長構成について説明する。
ＯＢＳＡＩ対応のＴＲＸ−ＡＭＰは、一般的に、２系統のＯＢＳＡＩを搭載しており、一つの系で常時運用を行い、もう一方の系では回線異常時のバックアップを行う、という冗長構成をとっている。具体的には、運用中の回線でＬＯＳ（Ｌｏｓｓ  Ｏｆ  Ｓｉｇｎａｌ）やＬＯＦ（Ｌｏｓｓ  Ｏｆ  Ｆｒａｍｅ）の異常が発生して、使用することができなくなった場合には、もう一方の系へ切り替える動作を行う。
また、回線にエラーが無い時においても、ＢＴＳ側の制御により系を切り替える動作を行うことを可能にもしておく。この時の切り替え動作をスイッチオーバーと称す。
【０００９】
ＯＢＳＡＩやＣＰＲＩのＬＯＳ或いはＬＯＦの検出方法は異なる。ＯＢＳＡＩの場合には、ＣＰＲＩのようにＬＯＳ、ＬＯＦに関して検出回数は明確でなく、ベンダーが柔軟に決めることができる。
しかしながら、ＷｉＭＡＸ用のＴＲＸ−ＡＭＰなどは、ＭＩＭＯ（Ｍｕｌｔｉｐｌｅ  Ｉｎｐｕｔ  Ｍｕｌｔｉｐｌｅ  Ｏｕｔｐｕｔ）対応などにより、アンテナ（Ａｎｔｅｎｎａ）を２系統持つことが一般的であり、この場合、Ｕ−Ｐｌａｎｅデータ（ＩＱデータ）に対しては冗長構成をとることができない。但し、Ｃ−Ｐｌａｎｅデータ（Ｌａｙｅｒ２データ）やデジタル部の動作クロックに関しては冗長構成をとることができる。
【００１０】
次に、ＷｉＭＡＸシステムのＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）シンボルについて説明する。
ＷｉＭＡＸシステムにおけるＵ−Ｐｌａｎｅデータ（ＩＱデータ）については、ＯＦＤＭＡシンボルを送受することで、基地局装置と端末装置との間で情報通信が可能となる。そのＯＦＤＭＡシンボルでは、ＴＤＤ（Ｔｉｍｅ  Ｄｉｖｉｓｉｏｎ  Ｄｕｐｌｅｘ）方式を採用しており、送信側（ＴＸ側）と受信側（ＲＸ側）の比率が送信最大７４．５％から送信最大４４．５％まで可変となり、１フレームの周期が５ｍｓとなり、５ｍｓの時間をＴＸとＲＸで比率により分割する。
【００１１】
日本におけるＷｉＭＡＸの仕様の制定としては、ＷｉＭＡＸ  ＦＯＲＵＭにより仕様が制定されている。
図５（ａ）の表には、ＷｉＭＡＸ  ＦＯＲＵＭの仕様において、ＯＦＤＭＡシンボルの５ＭＨｚ、１０ＭＨｚ、２０ＭＨｚにおけるＦＦＴポイント数を示してある。なお、周波数としては、ＦＡの周波数［ＭＨｚ］を示してある。
図５（ｂ）の表には、ＷｉＭＡＸ  ＦＯＲＵＭの仕様において、ＯＦＤＭＡシンボルの５ＭＨｚ、１０ＭＨｚ、２０ＭＨｚにおけるその他の情報を示してある。その他の情報としては、サンプリングファクタ（ｓａｍｐｌｉｎｇ  ｆａｃｔｏｒ）、ガードインターバル（ＣＰ：Ｃｙｃｌｉｃ  Ｐｒｅｆｉｘ）、フレーム長（Ｆｒａｍｅ  Ｌｅｎｇｔｈ）［ｍｓ］、ＴＴＧ（Ｔｒａｎｓｍｉｔ／Ｒｅｃｅｉｖｅ  Ｔｒａｎｓｉｔｉｏｎ  Ｇａｐ）［μｓ］、ＲＴＧ（Ｒｅｃｅｉｖｅ／Ｔｒａｎｓｍｉｔ  Ｔｒａｎｓｉｔｉｏｎ  Ｇａｐ）［μｓ］がある。なお、周波数としては、ＦＡの周波数［ＭＨｚ］を示してある。
【００１２】
図６には、ＷｉＭＡＸ  ＦＯＲＵＭにおけるＯＦＤＭＡのフレームの構成例を示してある。
本例では、複数のフレーム（・・・、ｎ−１、ｎ、ｎ＋１、・・・）が連続して並べられる。１個のフレームは、ダウンリンク（ＤＬ）のサブフレーム（Ｓｕｂｆｒａｍｅ）と、ＴＴＧと、アップリンク（ＵＬ）のサブフレーム（Ｓｕｂｆｒａｍｅ）から構成され、また、ＲＴＧが設けられる。
【００１３】
ダウンリンクのサブフレームは、プリアンブル（Ｐｒｅａｍｂｌｅ）と、ＦＣＨ（Ｆｒａｍｅ  Ｃｏｎｔｒｏｌ  Ｈｅａｄｅｒ）と、３個のダウンリンク（ＤＬ）のバースト（Ｂｕｒｓｔ）＃１〜＃３から構成される。ダウンリンク（ＤＬ）のバースト（Ｂｕｒｓｔ）は、オプショナル（ｏｐｔｉｏｎａｌ）なプリアンブル（Ｐｒｅａｍｂｌｅ）と、複数のＭＡＣ（Ｍｅｄｉｕｍ  Ａｃｃｅｓｓ  Ｃｏｎｔｒｏｌ）  ＰＤＵ（Ｐｒｏｔｏｃｏｌ  Ｄａｔａ  Ｕｎｉｔ）と、Ｐａｄから構成される。
アップリンクのサブフレームは、イニシャルレンジング（ｉｎｉｔｉａｌ  ｒａｎｇｉｎｇ）と、周波数帯域（ＢＷ：Ｂａｎｄ  Ｗｉｄｔｈ）のリクエスト（ＢＷ  ｒｅｑｕｅｓｔ）と、３個のアップリンク（ＵＬ）のバースト（Ｂｕｒｓｔ）＃１〜＃３から構成される。アップリンク（ＵＬ）のバースト（Ｂｕｒｓｔ）は、プリアンブル（Ｐｒｅａｍｂｌｅ）と、複数のＭＡＣ  ＰＤＵと、オプショナル（ｏｐｔｉｏｎａｌ）なミドアンブル（Ｍｉｄａｍｂｌｅ）と、複数のＭＡＣ  ＰＤＵと、Ｐａｄから構成される。
【００１４】
次に、一般的なＷｉＭＡＸ用のＴＲＸ−ＡＭＰの構成について説明する。
一般的なＷｉＭＡＸ用のＴＲＸ−ＡＭＰの構成は、概略的には、後述する実施例で参照する図１に示されるものと同様であるが、後述する実施例で説明する新規な特徴部分については本願で新たに考え出されたものである。このため、ここでは、説明の便宜上から図１を参照したが、本発明を不要に限定する意図は無い。
なお、ＴＲＸ−ＡＭＰは送信と受信を行う増幅器であるが、図１では、説明を簡易にするために、送信系のみが示されている。
【００１５】
概略的には、ＯＢＳＡＩの機能を２つ装備して、いずれか一方を選択してデータメッセージ（ｄａｔａ  ｍｅｓｓａｇｅ：例えば、ＩＱデータ）のフォーマットの変換を行い、信号処理を行った後に増幅してアンテナから出力を行う。信号処理部では、帯域制限のためのフィルタの処理や、直交変調の処理や、ピーク抑圧の処理や、歪補償の処理を行うことが一般的である。
また、ＢＴＳ側とＴＲＸ−ＡＭＰ側とでコマンドのやりとりを行う際には、ＯＢＳＡＩのコントロールメッセージ（ｃｏｎｔｒｏｌ  ｍｅｓｓａｇｅ：例えば、Ｌａｙｅｒ２のデータ）を使用して、互いのＣＰＵ（Ｃｅｎｔｒａｌ  Ｐｒｏｃｅｓｓｉｎｇ  Ｕｎｉｔ）の間でコマンドのやりとりを行うことが一般的である。
【００１６】
ＷｉＭＡＸ用のＴＲＸ−ＡＭＰでは、送信側においては２個のアンテナが用いられることが一般的である。この構成により、ＭＩＭＯやＳＩＳＯ（Ｓｉｎｇｌｅ  Ｉｎｐｕｔ  Ｓｉｎｇｌｅ  Ｏｕｔｐｕｔ）に対して柔軟に対応できるものとなっている。また、ＢＴＳ側からアンテナに対して１対１にキャリアを送受するような場合や、１系統にアンテナの１系と２系のキャリアが混在しているような運用の仕方に対しても、対応が可能となっている。
また、ＢＴＳ側とＷｉＭＡＸ用のＴＲＸ−ＡＭＰとを接続するシリアル伝送の規格としては、ＣＰＲＩとＯＢＳＡＩのいずれを採用することも可能であり、ＣＰＲＩやＯＢＳＡＩでの伝送レートがＷｉＭＡＸにおけるＯＦＤＭＡシンボルのレートを許容することができれば、ＯＦＤＭＡシンボルの伝送は可能である。
【００１７】
次に、シリアル伝送について説明する。
後述する実施例で参照する図１において、点線で囲まれた部分ＲがＴＲＸ−ＡＭＰ内のシリアル転送部に対応し、インターフェース規格はＯＢＳＡＩである。
基地局装置（ＢＴＳ）からは、ＯＢＳＡＩフォーマットのデータがシリアル伝送で送られてくる。高速シリアル伝送は、シリアル  トゥ  パラレルのタイミングを検出するためや、ＤＣバランスを保つ目的で、８Ｂ１０Ｂエンコードすることが一般的である。
ＯＢＳＡＩにおいても、同様に、８Ｂ１０Ｂエンコードを行い、フレームの境界としてＫ２８．５とＫ２８．７を用いている。
【００１８】
ここで、図７には、ＯＢＳＡＩを使用したフレームの構成例を簡易に示してある。
また、図８には、ＯＢＳＡＩのメッセージ（ｍｅｓｓａｇｅ）の構成例を簡易に示してある。
図７に示されるＯＢＳＡＩのフレームは、図８に示されるメッセージが多数集まって構成される。このメッセージが最小単位のフレームとなる。
メッセージは、アドレス、メッセージタイプ、タイムスタンプ、ペイロードデータから構成される。なお、実際には、このペイロードに無線信号を伝送するためのデータメッセージ（ＩＱデータ）或いはＢＴＳとＴＲＸ−ＡＭＰとのコマンド送受信データであるコントロールメッセージ（Ｌａｙｅｒ２のデータ）がアサインされることになる。
【００１９】
また、図７において「Ｍ０」や「Ｍ１」などと示されているものが、図８に示されているメッセージに相当する。
図７に示されているＭＧ（Ｍｅｓｓａｇｅ  Ｇｒｏｕｐ）は、｛ｍｅｓｓａｇｅ  ×  ２１  ＋  １ｂｙｔｅ（Ｋ２８．５又はＫ２８．７）｝である。
また、図７において「Ｃ０」や「Ｃ１」などと示されているものでは、Ｌａｙｅｒ２のデータがアサインされている。
図７に示される構成が基本構成となる。
【００２０】
シリアル伝送の速度に応じて、図７に示されるフレームの構成が変わる。
シリアル伝送の速度としては、３種類あり、具体的には、７６８Ｍｂｐｓ、１５３６Ｍｂｐｓ、３０７２Ｍｂｐｓである。
図９には、これら３種類のシリアル伝送速度時のそれぞれについて、フレームの構成例を示してある。基本的に、シリアル伝送速度が上がると、ＳＥＲＤＥＳ（ＳＥＲｉａｌｉｚｅｒ／ＤＥＳｅｒｉａｌｉｚｅｒ）から再生されるクロックが速くなり、１ＭＧの時間が短縮される。
【００２１】
ＯＢＳＡＩは、Ｗ−ＣＤＭＡ（Ｗｉｄｅ  ｂａｎｄ−Ｃｏｄｅ  Ｄｉｖｉｓｉｏｎ  Ｍｕｌｔｉｐｌｅ  Ａｃｃｅｓｓ）或いはＷｉＭＡＸ（ＯＦＤＭＡ）に対応している規格であるが、実際には、ＷｉＭＡＸ（ＯＦＤＭＡ）に対応しているといっても、図１０（ａ）〜（ｃ）に示されるように、サンプリングファクタが８／７或いは８／８のＦＡ周波数のものに限られている。但し、他のサンプリングファクタにするとＯＢＳＡＩ自体が対応できないというわけではない。
【００２２】
ここで、図１０（ａ）の表には、７６８Ｍｂｐｓ時に対応したＯＦＤＭＡシンボルの特性を示してある。
また、図１０（ｂ）の表には、１５３６Ｍｂｐｓ時に対応したＯＦＤＭＡシンボルの特性を示してある。
また、図１０（ｃ）の表には、３０７２Ｍｂｐｓ時に対応したＯＦＤＭＡシンボルの特性を示してある。
【００２３】
図１０（ａ）〜（ｃ）に示されるように、それぞれのシリアル伝送レートによって、対応することができるＦＡ周波数とＦＡ数が決まっている。
また、図７及び図８で示されるフレーム内のデータメッセージとコントロールメッセージのアサイン位置が各シリアル転送とＦＡ周波数によって決まっており、そのアサイン位置のマップをビットマップ（Ｂｉｔｍａｐ）と言う。
【００２４】
ビットマップは、ｈｅｘ表記で表現され、“０”の時と“１”の時で、メッセージの組み合わせがシリアル伝送レートによって決まっている。
例えば、１５３６Ｍｂｐｓの時について、ビットマップ＝“０”である場合には（データメッセージ  ×  ２）であり、ビットマップ＝“１”である場合には（データメッセージ  ×  ２  ＋  コントロールメッセージ  ×  １）であり、ビットマップ＝“０”×４である場合には｛（ビットマップ＝“０”×２）＋（ビットマップ＝“１”）＋（ビットマップ＝“０”）｝の構成となり、メッセージを周期的に繰り返すことになる。
【００２５】
実際には、３つの伝送レートの内で最もＷｉＭＡＸのＴＲＸ−ＡＭＰで実用的なレートは１５３６Ｍｂｐｓとなる。
図１１の表には、１５３６Ｍｂｐｓのレートに対するビットマップを示してある。
ここで、図１０（ｃ）の表における項番９と項番１２が、ＷｉＭＡＸ用のＴＲＸ−ＡＭＰでは、最もポピュラーなＦＡ周波数とＦＡ数である。但し、サンプリングファクタは８／７であり、しかしながら、世の中の流れとしては、サンプリングファクタが２８／２５となっており、ＯＢＳＡＩを使用する際に、２８／２５に対応したビットマップを考え出す必要がある。
【００２６】
なお、ビットマップ（Ｂｉｔｍａｐ）は、メッセージ（ｍｅｓｓａｇｅ）の中のペイロード部に、ＩＱデータ或いはＥｔｈｅｒｎｅｔ（登録商標）データを入れた最小単体のデータの群集を組み合わせたものである。ビットマップ１とビットマップ２とは、その群集のパターンが異なるものである。ビットマップ１やビットマップ２の回数とは、図１１や後述する図２（ｄ）に記載されている１６進数が何回繰り返されるかの回数を示している。１６進数は、２進数で考えると“０”又は“１”となり、この“０”又は“１”が、異なる２つのメッセージの群集を指し示している。
ビットマップ１やビットマップ２のビット（ｂｉｔ）数とは、ビットマップ１やビットマップ２の１６進数表示が２進数では何ビットになるかのビット数を示している。
ＦＡ（Ｆｒｅｑｕｅｎｃｙ  Ａｓｓｉｇｎｍｅｎｔ）は、周波数割り当てを表している。
【００２７】
【特許文献１】特開２００５−３２３０２３号公報
【発明の開示】
【発明が解決しようとする課題】
【００２８】
しかしながら、上述のような無線装置では、以下で説明するような課題があった。
ＷｉＭＡＸフォーラムのサンプリングファクタについて説明する。
現段階では、ＯＢＳＡＩは、サンプリングファクタが８／７であるＯＦＤＭＡシンボルに対応した仕様でしかなく、ＷｉＭＡＸフォーラムの仕様で記載されているサンプリングファクタが２８／２５に対応した仕様については、今現在では未だに検討等されていない。つまり、ＷｉＭＡＸフォーラムの仕様に対応したＴＲＸ−ＡＭＰを開発する際にＯＢＳＡＩを採用する場合には、各社が自社でＯＢＳＡＩの仕様を理解した上で、２８／２５に対応したビットマップを作り出さなければならないことになる。
【００２９】
ＯＢＳＡＩは、ＦＡ周波数が小さいものから大きいものまで対応している。その中でも、これからＷｉＭＡＸのサービスを開始するシステムベンダーが実際に使用するＦＡ周波数は１０ＭＨｚ或いは２０ＭＨｚといったものになる。
ＣＰＲＩでは、ＯＢＳＡＩのようなビットマップのような概念は無く、元々Ｗ−ＣＤＭＡの規格に合わせたものであるため、常時、ＩＱデータ（ＯＢＳＡＩで言うデータメッセージ）がアサインされたチップ（ｃｈｉｐ）単位の最小フレームの集まりでＣＰＲＩフレームが構成される。また、Ｌａｙｅｒ２のデータ（ＯＢＳＡＩで言うコントロールメッセージ）については、コントロールワードと言われるＩＱデータとは別の場所にアサインされる。
なお、本例では、チップとは、Ｗ−ＣＤＭＡで使用される３．８４ＭＨｚの最小単位のフレームのことである。
【００３０】
本発明は、このような従来の事情に鑑み為されたもので、例えば、ＦＡ周波数が１０ＭＨｚ−２ＦＡ或いは２０ＭＨｚである時において、サンプリングファクタが２８／２５であるＯＦＤＭＡシンボルに対応したＯＢＳＡＩをインターフェース規格として採用することができる無線装置を提供することを目的とする。
【課題を解決するための手段】
【００３１】
上記目的を達成するため、本発明に係るＷｉＭＡＸ用の無線装置（ＲＥに対応）では、次のような構成とした。
すなわち、当該無線装置は、無線制御部（ＲＥＣに対応）と２本以上の高速シリアル伝送で接続され、インターフェース規格にＯＢＳＡＩを採用し、ＯＦＤＭＡシンボルを送受する機能を有しており、そして、サンプリングファクタが２８／２５であるＯＦＤＭＡシンボルに対応したＯＢＳＡＩを使用する。
【００３２】
従って、例えば、ＦＡ周波数が１０ＭＨｚ−２ＦＡ或いは２０ＭＨｚである時において、サンプリングファクタが２８／２５であるＯＦＤＭＡシンボルに対応したＯＢＳＡＩをインターフェース規格として採用することができる。
【発明の効果】
【００３３】
以上説明したように、本発明に係るＷｉＭＡＸ用の無線装置によると、例えば、ＦＡ周波数が１０ＭＨｚ−２ＦＡ或いは２０ＭＨｚである時において、サンプリングファクタが２８／２５であるＯＦＤＭＡシンボルに対応したＯＢＳＡＩをインターフェース規格として採用することができる。
【発明を実施するための最良の形態】
【００３４】
本発明に係る実施例を図面を参照して説明する。
図１には、本発明の一実施例に係るＷｉＭＡＸ用の無線装置に設けられたＴＲＸ−ＡＭＰ２の構成例と、基地局装置（ＢＴＳ）１を示してある。なお、ＴＲＸ−ＡＭＰ２については、受信側の構成の図示を省略してあり、送信側の構成のみを図示してある。
ＢＴＳ１は、第１のＳｅｒｄｅｓ１１と、第２のＳｅｒｄｅｓ１２を備えている。
【００３５】
ＴＲＸ−ＡＭＰ２は、第１のＳｅｒｄｅｓ２１と、第２のＳｅｒｄｅｓ２２と、再生クロックセレクタ２３と、ＰＬＬ（Ｐｈａｓｅ  Ｌｏｃｋ  Ｌｏｏｐ）２４と、ＤＬ側フレーマー２５と、Ｏ＆Ｍコントロール部２６と、フォーマット（Ｆｏｒｍａｔ）変換部２７と、フィルタ（Ｆｉｌｔｅｒ）部２８と、直交変調部２９と、ピーク抑圧部３０と、歪補償部３１と、第１の増幅器３２と、第２の増幅器３３と、第１のアンテナ３４と、第２のアンテナ３５を備えている。
【００３６】
ここで、フォーマット変換部２７と、フィルタ部２８と、直交変調部２９と、ピーク抑圧部３０と、歪補償部３１については、それぞれ、アンテナ１系（第１の増幅器３２と第１のアンテナ３４からなる系）に対応する処理部（或いは、処理機能）と、アンテナ２系（第２の増幅器３３と第２のアンテナ３５からなる系）に対応する処理部（或いは、処理機能）を有している。
【００３７】
本例のＴＲＸ−ＡＭＰ２において行われる動作の概略的な一例を示す。
第１のＳｅｒｄｅｓ２１は、ＢＴＳ１の第１のＳｅｒｄｅｓ１１とＯＢＳＡＩで接続されてデータのやりとりが可能である。
同様に、第２のＳｅｒｄｅｓ２２は、ＢＴＳ１の第２のＳｅｒｄｅｓ１２とＯＢＳＡＩで接続されてデータのやりとりが可能である。
再生クロックセレクタ２３は、２個のＳｅｒｄｅｓ２１、２２からの情報及びＤＬ側フレーマー２５からの情報に基づいて、再生クロックを選択する。
ＰＬＬ２４は、再生クロックセレクタ２３からの情報に基づいて、ＰＬＬ処理した信号をＤＬ側フレーマー２５へ出力する。
【００３８】
ＤＬ側フレーマー２５は、２個のＳｅｒｄｅｓ２１、２２からの情報に基づいて、２個のデータメッセージ（ｄａｔａ  ｍｅｓｓａｇｅ）をフォーマット変換部２７へ出力し、また、１系或いは２系を選択してコントロールメッセージ（Ｃｏｎｔｒｏｌ  ｍｅｓｓａｇｅ）をＯ＆Ｍコントロール部２６へ出力する。
Ｏ＆Ｍコントロール部２６は、入力されたコントロールメッセージを処理する。
【００３９】
フォーマット変換部２７は、入力されたデータメッセージについて、フォーマットを変換してフィルタ部２８へ出力する。
フィルタ部２８は、入力された信号をフィルタリングして直交変調部２９へ出力する。
直交変調部２９は、入力された信号に対して直交変調を行い、その結果の信号をピーク抑圧部３０へ出力する。
ピーク抑圧部３０は、入力された信号について、ピークを抑圧して歪補償部３１へ出力する。
歪補償部３１は、入力された信号について、歪を補償して増幅器３２、３３へ出力する。
増幅器３２、３３は、入力された信号を増幅してアンテナ３４、３５へ出力する。
アンテナ３４、３５は、増幅器３２、３３からの信号を無線により送信する。
【００４０】
次に、本例のＴＲＸ−ＡＭＰ２における特徴的な構成について説明する。
本例では、シリアル伝送規格のＯＢＳＡＩの２８／２５サンプリングファクタに対応したビットマップ（Ｂｉｔｍａｐ）を作成する。
本例では、実際に作り出すビットマップはＦＡ周波数が１０ＭＨｚ−２ＦＡ或いは２０ＭＨｚの時に限定するものとする。
【００４１】
図２（ａ）には、ＦＡ周波数が２０ＭＨｚであるときについて、サンプリングファクタが２８／２５になった場合におけるＯＦＤＭＡの転送レートを示してある。
図２（ｂ）には、ＯＢＳＡＩにおいて図２（ａ）に示されるシンボルを伝送することができるデータメッセージ、コントロールメッセージの伝送レートを示してある。
【００４２】
ここで、サンプリングファクタが２８／２５であるＯＦＤＭＡシンボルはＯＢＳＡＩの１５３６Ｍｂｐｓで伝送することが可能である。ＦＡ周波数が２０ＭＨｚである場合には、チップ（ｃｈｉｐ）レートは２２．４（２０×２８／２５）ＭＨｚとなる。
また、ＯＢＳＡＩはＷ−ＣＤＭＡに対応することもできることから、１個のメッセージグループ（１  ｍｅｓｓａｇｅ  ｇｒｏｕｐ：２１  ｍｅｓｓａｇｅ  ＋  １ｂｙｔｅ（Ｋ２８．５）＝５．２１μｓ）は、３．８４ＭＨｚのチップの２０個分と一致する。
ＯＢＳＡＩでは３．８４ＭＨｚ×２０チップ分のメッセージ周期があり、ＯＦＤＭＡシンボルは２２．４ＭＨｚのチップレートであるため、その周期が一致する周期つまり最小公倍数の周期となり、これを求めると、０．０６４ＭＨｚ（１５．６２５μｓ）となる。
【００４３】
図３には、ＯＢＳＡＩのメッセージ周期とＯＦＤＭＡのチップレートを示してある。
図３を参照すると、サンプリングファクタが２８／２５でありＦＡ周波数が２０ＭＨｚである場合に転送するためのビットマップを作成するためには、ＯＢＳＡＩの３個のメッセージグループでＦＡ周波数が２０ＭＨｚ（チップレートが２２．４ＭＨｚ）のＯＦＤＭＡシンボルを３５０チップ分伝送することができるように、ビットマップをアサインすればよいことになる。
【００４４】
図２（ｃ）には、ＯＢＳＡＩ−１５３６Ｍｂｐｓ時のビットマップ（Ｂｉｔｍａｐ）＝“０”とビットマップ（Ｂｉｔｍａｐ）＝“１”についてメッセージの構成を示してある。
実際には、ビットマップ（Ｂｉｔｍａｐ）＝“１”が多数使用されると、レイヤ（Ｌａｙｅｒ）２の転送速度が上がる。
【００４５】
以上のことより、ビットマップを算出すると、サンプリングファクタが２８／２５でありＦＡ周波数が２０ＭＨｚであるものを転送するためのビットマップは、図２（ｄ）のように示される。
図２（ｄ）には、サンプリングファクタが２８／２５でありＦＡ周波数が２０ＭＨｚである場合に対応するビットマップの一例を示してある。
【００４６】
ここで、図２（ｄ）に示されるビットマップは、本例で作り出したビットマップの一例に過ぎない。ここでは、非常に多くあるために詳細を省略するが、ビットマップの合計ビット（ｂｉｔｓ）数が１５であり且つ“０”の個数が９個であり“１”の個数が６個であるビットマップが、サンプリングファクタが２８／２５でありＦＡ周波数が２０ＭＨｚであるものに対応するビットマップとなる。なお、このような条件を満たすビットマップは、有限ではあるが、複数個存在する。
このビットマップにより、ＷｉＭＡＸ用のＴＲＸ−ＡＭＰ２では、１１．２ＭＨｚの整数倍のクロックを無線部の動作クロックに使用するため、フォーマット変換部２７では容易にＳｅｒｄｅｓ２１、２２から再生されるクロックからＩＱデータのクロックを乗り換えることができる。
【００４７】
以上のように、本例の無線部（ＲＥ）に相当するＴＲＸ−ＡＭＰ２では、本例の無線制御部（ＲＥＣ）に相当するＢＴＳ１と２本以上の高速シリアル伝送で接続され、インターフェース規格にＯＢＳＡＩを採用し、ＯＦＤＭＡシンボルを送受する機能を有する。
また、本例のＴＲＸ−ＡＭＰ２では、上記のような機能を搭載して、高速シリアル伝送で用いるＳｅｒｄｅｓ２１、２２が受信側で出力するリカバリークロックのうちのいずれか一つを選択して、基準クロックとＰＬＬ２４でロックした後のクロックでデジタルの動作を行う。
また、本例のＴＲＸ−ＡＭＰ２では、上記のような機能を搭載して、高速シリアル回線の状態に応じて、リカバリークロックのいずれか一つを選択することができる。
【００４８】
また、本例のＴＲＸ−ＡＭＰ２では、上記のような機能を搭載して、ＢＴＳ１と冗長構成で、高速シリアル伝送が接続されていない構成とすることができる。また、このような構成において、本例のＴＲＸ−ＡＭＰ２では、送信側でアンテナを２本分持つ構成とすることができる。
そして、本例では、以上に示したような特徴を有するＴＲＸ−ＡＭＰ２において、サンプリングファクタが２８／２５であるＯＦＤＭＡシンボルに対応したＯＢＳＡＩを使用するＷｉＭＡＸ用の無線装置を実現することができる。
【００４９】
従って、本例では、サンプリングファクタが２８／２５であるＯＦＤＭＡシンボルで、ＦＡ周波数が１０ＭＨｚ或いは２０ＭＨｚであるものに関しては、作り出したビットマップにより、ＯＢＳＡＩを使用して伝送することができる。
また、本例のＷｉＭＡＸ用のＴＲＸ−ＡＭＰ２では、デジタル処理部の動作クロック周波数が１１．２ＭＨｚの整数倍となり、ＯＢＳＡＩを使用する場合には、Ｓｅｒｄｅｓ２１、２２から再生されるクロックは３．８４ＭＨｚの整数倍となり、動作クロックが異なるが、作り出したビットマップにより、図３に示されるように、ＯＦＤＭＡシンボルデータのクロック乗り換えを容易に行うことができる。
【００５０】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００５１】
【図１】本発明の一実施例に係るＷｉＭＡＸ用のＴＲＸ−ＡＭＰの構成例を示す図である。
【図２】（ａ）はＦＡ周波数が２０ＭＨｚであるときの転送レートを示す図であり、（ｂ）はデータメッセージ、コントロールメッセージの伝送レートを示す図であり、（ｃ）は１５３６Ｍｂｐｓ時のビットマップのメッセージのアサインを示す図であり、（ｄ）はサンプリングファクタが２８／２５でありＦＡ周波数が２０ＭＨｚである場合に対応するビットマップの一例を示す図である。
【図３】ＯＢＳＡＩのメッセージ周期とＯＦＤＭＡのチップレートを示す図である。
【図４】（ａ）〜（ｃ）はＢＴＳとＴＲＸ−ＡＭＰとの接続の例を示す図である。
【図５】（ａ）は５ＭＨｚ、１０ＭＨｚ、２０ＭＨｚにおけるＦＦＴポイント数を示す図であり、（ｂ）は５ＭＨｚ、１０ＭＨｚ、２０ＭＨｚにおけるその他の情報を示す図である。
【図６】ＷｉＭＡＸ  ＦＯＲＵＭにおけるＯＦＤＭＡのフレームの構成例を示す図である。
【図７】ＯＢＳＡＩを使用したフレームの構成例を簡易に示す図である。
【図８】ＯＢＳＡＩのメッセージの構成例を簡易に示す図である。
【図９】３種類のシリアル伝送速度時のそれぞれについてフレームの構成例を示す図である。
【図１０】（ａ）は７６８Ｍｂｐｓ時に対応したＯＦＤＭＡシンボルの特性を示す図であり、（ｂ）は１５３６Ｍｂｐｓ時に対応したＯＦＤＭＡシンボルの特性を示す図であり、（ｃ）は３０７２Ｍｂｐｓ時に対応したＯＦＤＭＡシンボルの特性を示す図である。
【図１１】１５３６Ｍｂｐｓ時のビットマップを示す図である。
【符号の説明】
【００５２】
１、１０１、１１１、１１２、１２１・・ＢＴＳ、  ２、１０２、１０３、１１３、１２２、１２３・・ＴＲＸ−ＡＭＰ、  １１、１２、２１、２２・・Ｓｅｒｄｅｓ、  ２３・・再生クロックセレクタ、  ２４・・ＰＬＬ、  ２５・・ＤＬ側フレーマー、  ２６・・Ｏ＆Ｍコントロール部、  ２７・・フォーマット変換部、  ２８・・フィルタ部、  ２９・・直交変調部、  ３０・・ピーク抑圧部、  ３１・・歪補償部、  ３２、３３・・増幅器、  ３４、３５・・アンテナ、
【図１】
2009278571.tif 000003
【図２】
2009278571.tif 000004
【図３】
2009278571.tif 000005
【図４】
2009278571.tif 000006
【図５】
2009278571.tif 000007
【図６】
2009278571.tif 000008
【図７】
2009278571.tif 000009
【図８】
2009278571.tif 000010
【図９】
2009278571.tif 000011
【図１０】
2009278571.tif 000012
【図１１】
2009278571.tif 000013